(57)【要約】【課題】ユーザーがトレイの交換作業を容易に行うことができる媒体保持装置を提供する。【解決手段】媒体載置面を有する大トレイ１１ａと、大トレイ１１ａよりも小さい媒体載置面を有する中トレイ１１ｂと、大トレイ１１ａおよび中トレイ１１ｂが選択的に装着されるトレイ装着部と、大トレイ１１ａおよび中トレイ１１ｂとは別体に構成され、トレイ装着部に大トレイ１１ａが装着された場合に、記録媒体を大トレイ１１ａとの間に保持する枠本体２４と、中トレイ１１ｂが入るアタッチメント開口５６が設けられ、トレイ装着部に中トレイ１１ｂが装着された場合に、枠本体２４の内側に装着され、記録媒体を中トレイ１１ｂとの間に保持し、トレイ装着部に大トレイ１１ａが装着された場合に、枠本体２４から脱離される第１アタッチメント１５ｂとを備えた。【選択図】図５
2015186893.tif 000002
【特許請求の範囲】
【請求項１】
媒体載置面を有する第１トレイと、
前記第１トレイよりも小さい媒体載置面を有する第２トレイと、
前記第１トレイおよび前記第２トレイが選択的に装着されるトレイ装着部と、
前記第１トレイおよび前記第２トレイとは別体に構成され、前記トレイ装着部に前記第１トレイが装着された場合に、前記第１トレイの前記媒体載置面に載置された記録媒体を、前記第１トレイとの間に保持可能な保持枠と、
前記第２トレイが入るアタッチメント開口が設けられ、前記トレイ装着部に前記第２トレイが装着された場合に、前記保持枠の内側に装着され、前記第２トレイの前記媒体載置面に載置された記録媒体を、前記第２トレイとの間に保持可能なアタッチメントと、
を備えたことを特徴とする媒体保持装置。
【請求項２】
前記トレイ装着部を支持するベース部、をさらに備え、
前記保持枠は、前記記録媒体を保持する保持位置と、前記記録媒体の保持を解除する非保持位置との間で、回転可能に前記ベース部に設けられていることを特徴とする請求項１に記載の媒体保持装置。
【請求項３】
前記保持枠に設けられた枠側ロック部と、
前記ベース部に設けられ、前記保持位置に位置する前記保持枠の前記枠側ロック部と係合するベース側ロック部と、
をさらに備えたことを特徴とする請求項２に記載の媒体保持装置。
【請求項４】
前記保持枠に取り付けられ、前記保持枠の前記保持位置への回転を制動し、前記保持枠の前記非保持位置への回転をアシストする制動アシスト部、をさらに備えたことを特徴とする請求項２または３に記載の媒体保持装置。
【請求項５】
前記制動アシスト部は、前記ベース部に対して前記保持枠を回転可能に連結するアシストヒンジにより構成されていることを特徴とする請求項４に記載の媒体保持装置。
【請求項６】
前記第１トレイは、
表裏一方の面が前記媒体載置面となるトレイ本体と、
前記トレイ本体の前記媒体載置面とは反対側の面の縁部に設けられ、前記トレイ本体と前記保持枠との間から垂れ下がった前記記録媒体の端部を、前記トレイ本体に対して外側にガイドするガイド部と、
を有することを特徴とする請求項１ないし５のいずれか一項に記載の媒体保持装置。
【請求項７】
前記アタッチメントは、
前記アタッチメント開口が設けられたプレート部と、
前記プレート部の表裏一方の面において、前記アタッチメント開口の縁部に沿って設けられたアタッチメント枠部と、を有し、
前記第２トレイは、
表裏一方の面が前記媒体載置面となるトレイ本体と、
前記トレイ本体の前記媒体載置面とは反対側の面の縁部に設けられ、前記トレイ本体と前記アタッチメント枠部との間から垂れ下がった前記記録媒体の端部を、前記トレイ本体に対して外側にガイドするガイド部と、
を有することを特徴とする請求項１ないし６のいずれか一項に記載の媒体保持装置。
【請求項８】
前記保持枠は、
前記アタッチメントの外周縁と係合する係合部が内周縁に設けられた枠本体と、
前記係合部と係合した前記アタッチメントを前記枠本体に係止する係止位置と、前記アタッチメントの係止を解除する非係止位置と、の間で、移動可能に前記枠本体に設けられた係止部材と、
を有することを特徴とする請求項１ないし７のいずれか一項に記載の媒体保持装置。
【請求項９】
請求項１ないし８のいずれか一項に記載の媒体保持装置と、
前記媒体保持装置に保持された前記記録媒体に対し、画像を記録する記録部と、
を備えたことを特徴とする記録装置。
【発明の詳細な説明】
【技術分野】
【０００１】
本発明は、画像が記録される記録媒体を保持する媒体保持装置および記録装置に関するものである。
【背景技術】
【０００２】
従来、Ｔシャツなどの被印刷体に画像を記録するインクジェットプリンターに装着されるプラテン装置として、被印刷体が載置されるプラテンと、プラテンの下部に配置される支持板と、プラテンに載置された被印刷体を支持板と共に挟持して保持する枠と、これらの下部に位置して、枠により挟持された被印刷体のプラテン上に載らなかった部分を受けるようにして収容するプラテントレイと、を備えたプラテン装置が知られている。このプラテン装置は、底部により、上記したプラテン、支持板、枠、およびプラテントレイが一体に組み付けられた構成となっている（特許文献１参照）。
【先行技術文献】
【特許文献】
【０００３】
【特許文献１】特開２００３−３１２０６９号公報
【発明の概要】
【発明が解決しようとする課題】
【０００４】
このようなプラテン装置では、様々なサイズの被印刷体に対応すべく、複数種のサイズのプラテンが用意されており、ユーザーは、被印刷体のサイズに合わせて、プラテンを交換する。従来のプラテン装置では、プラテンが枠等と一体構造物を為していることから、プラテンを枠等と共に交換することになるが、プラテンのサイズが大きい場合には、枠等を併せた一体構造物は、かなりの重量となる。したがって、プラテンの交換作業は容易ではなかった。
【０００５】
本発明は、ユーザーがトレイの交換作業を容易に行うことができる媒体保持装置および記録装置を提供することを課題としている。
【課題を解決するための手段】
【０００６】
本発明の媒体保持装置は、媒体載置面を有する第１トレイと、第１トレイよりも小さい媒体載置面、を有する第２トレイと、第１トレイおよび第２トレイが選択的に装着されるトレイ装着部と、第１トレイおよび第２トレイとは別体に構成され、トレイ装着部に第１トレイが装着された場合に、第１トレイの媒体載置面に載置された、画像が記録される記録媒体を、第１トレイとの間に保持する保持枠と、第２トレイが入るアタッチメント開口が設けられ、トレイ装着部に第２トレイが装着された場合に、保持枠の内側に装着され、第２トレイの媒体載置面に載置された記録媒体を、第２トレイとの間に保持し、トレイ装着部に第１トレイが装着された場合に、保持枠から脱離されるアタッチメントと、を備えたことを特徴とする。
【０００７】
この構成によれば、ユーザーが、トレイ装着部に第１セットトレイを装着し、第１セットトレイと保持枠との間に、記録媒体を保持することができる。また、ユーザーが、トレイ装着部に第２セットトレイを装着し、保持枠にアタッチメントを装着することで、第２セットトレイとアタッチメントとの間に、記録媒体を保持することができる。
【０００８】
この場合、トレイ装着部を支持するベース部、をさらに備え、保持枠は、記録媒体を保持する保持位置と、記録媒体の保持を解除する非保持位置との間で、回転可能にベース部に設けられていることが好ましい。
【０００９】
この構成によれば、ユーザーは、保持枠を保持位置と非保持位置との間で回転させるという簡易な操作を行うことで、保持枠により記録媒体を保持し、また、それを解除することができる。したがって、保持枠により記録媒体を保持し、また、それを解除する際の作業性を向上させることができる。
【００１０】
この場合、保持枠に設けられた枠側ロック部と、ベース部に設けられ、保持位置に位置する保持枠の枠側ロック部と係合するベース側ロック部と、をさらに備えたことが好ましい。
【００１１】
この構成によれば、枠側ロック部とベース側ロック部とが係合することで、保持枠が保持位置にロックされる。そして、第１トレイおよび第２トレイについて同じ保持枠を共用するため、第１トレイおよび第２トレイについて別々の保持枠を用いる場合のように、枠側ロック部を保持枠ごとに用意する必要がなく、枠側ロック部の個数を削減することができる。
【００１２】
この場合、保持枠に取り付けられ、保持枠の保持位置への回転を制動し、保持枠の非保持位置への回転をアシストする制動アシスト部、をさらに備えたことが好ましい。
【００１３】
この構成によれば、保持枠を保持位置と非保持位置との間で回転させる際の操作性を向上させることができる。
【００１４】
この場合、制動アシスト部は、ベース部に対して保持枠を回転可能に連結するアシストヒンジにより構成されていることが好ましい。
【００１５】
この構成によれば、制動アシスト部として、ガススプリングを用いた場合に比べ、アシストヒンジを保持枠の回転軸の近くに取り付けることができる。このため、保持枠を小型化することができる。
【００１６】
この場合、第１トレイは、表裏一方の面が媒体載置面となるトレイ本体と、トレイ本体の媒体載置面とは反対側の面の縁部に設けられ、トレイ本体と保持枠との間から垂れ下がった記録媒体の端部を、トレイ本体に対して外側にガイドするガイド部と、を有することが好ましい。
【００１７】
この構成によれば、第１トレイのトレイ本体と保持枠との間から垂れ下がった記録媒体の端部が、ガイド部によりトレイ本体に対して外側にガイドされるため、トレイ本体および保持枠と記録媒体との接触面積を増やすことができる。これにより、第１トレイと保持枠との間に記録媒体を保持する場合に、保持された記録媒体のシワを延ばしやすくなり、また、保持後に記録媒体が動いてしまうことを防止することができる。
【００１８】
この場合、アタッチメントは、アタッチメント開口が設けられたプレート部と、プレート部の表裏一方の面において、アタッチメント開口の縁部に沿って設けられたアタッチメント枠部と、を有し、第２トレイは、表裏一方の面が媒体載置面となるトレイ本体と、トレイ本体の媒体載置面とは反対側の面の縁部に設けられ、トレイ本体とアタッチメント枠部との間から垂れ下がった記録媒体の端部を、トレイ本体に対して外側にガイドするガイド部と、を有することが好ましい。
【００１９】
この構成によれば、第２トレイのトレイ本体とアタッチメントのアタッチメント枠部との間から垂れ下がった記録媒体の端部が、ガイド部によりトレイ本体に対して外側にガイドされるため、トレイ本体およびアタッチメント枠部と記録媒体との接触面積を増やすことができる。これにより、第２トレイとアタッチメントとの間に記録媒体を保持する場合に、保持された記録媒体のシワを伸ばしやすくなり、また、保持後に記録媒体が動いてしまうことを防止することができる。
【００２０】
この場合、保持枠は、アタッチメントの外周縁と係合する係合部が内周縁に設けられた枠本体と、係合部と係合したアタッチメントを枠本体に係止する係止位置と、アタッチメントの係止を解除する非係止位置と、の間で、移動可能に枠本体に設けられた係止部材と、を有することが好ましい。
【００２１】
この構成によれば、ユーザーは、係止部材を係止位置と非係止位置との間で移動させるという簡易な操作を行うことで、保持枠にアタッチメントを装着し、また、保持枠からアタッチメントを脱離することができる。
【００２２】
本発明の記録装置は、上記の媒体保持装置と、媒体保持装置に保持された記録媒体に対し、画像を記録する記録部と、を備えたことを特徴とする。
【００２３】
記録部としては、特に限定されるものではなく、例えば、インクジェット方式によりインクを吐出するものを用いることができる。
【図面の簡単な説明】
【００２４】
【図１】本発明の一実施形態に係る記録装置の斜視図である。
【図２】媒体保持部の斜視図であって、保持枠が保持位置に位置した状態の図である。
【図３】媒体保持部の斜視図であって、保持枠が非保持位置に位置した状態の図である。
【図４】媒体保持部の右側面図であって、保持枠が非保持位置に位置した状態の図である。
【図５】（ａ）は保持枠および大トレイの平面図、（ｂ）は第１アタッチメントが装着された保持枠および中トレイの平面図、（ｃ）は第２アタッチメントが装着された保持枠および小トレイの平面図、（ｄ）は保持枠、中トレイおよび第１アタッチメントの斜視図、（ｅ）は保持枠、小トレイおよび第２アタッチメントの斜視図である。
【図６】（ａ）は図５（ａ）のＡ−Ａ切断線による断面図、（ｂ）は図５（ｂ）のＢ−Ｂ切断線による断面図、（ｃ）は図５（ｃ）のＣ−Ｃ切断線による断面図である。
【図７】アタッチメントが脱離された保持枠および中トレイの平面図である。
【図８】変形例に係る媒体保持部の斜視図であって、保持枠が保持位置に位置した状態の図である。
【図９】変形例に係る媒体保持部の斜視図であって、保持枠が非保持位置に位置した状態の図である。
【発明を実施するための形態】
【００２５】
以下、添付の図面を参照し、本発明の一実施形態に係る記録装置について説明する。この記録装置は、媒体保持部に保持された、Ｔシャツ等の記録媒体に対し、インクジェット方式によりインクを吐出して、画像を記録するものである。
なお、以下では、図に示した「上」「下」「左」「右」「前」「後」を用いて説明するが、これらの方向は説明の便宜上のものであり、本発明の実施に関しては、これらの方向に限定されることはない。
【００２６】
図１に示すように、記録装置１は、記録媒体Ｍを保持する媒体保持部２と、横長略直方体状の記録部３と、媒体保持部２を前後に搬送する搬送部５とを備えている。
【００２７】
記録部３は、媒体保持部２に保持された記録媒体Ｍに対し、画像を記録する。記録部３は、インクジェットヘッド６を搭載したキャリッジ７と、キャリッジ７を介してインクジェットヘッド６を左右に移動させるヘッド移動機構（図示省略）とを備えている。ヘッド移動機構は、モーター駆動のベルト機構により構成されている。
【００２８】
搬送部５は、記録部３の前面に設けられた出入口４を介して、前方のセット位置と、後方の記録開始位置との間で、媒体保持部２を移動させる。搬送部５は、モーター駆動のベルト機構により構成されている。
【００２９】
記録装置１により記録媒体Ｍに画像を記録する際には、まず、セット位置に移動した媒体保持部２に対し、ユーザーにより記録媒体Ｍがセットされる。そして、記録装置１が記録開始の指示を受信すると、搬送部５が、媒体保持部２を、セット位置から出入口４を通って記録開始位置まで移動させる。その後、搬送部５が、媒体保持部２を記録開始位置から前方に間欠移動させると共に、インクジェットヘッド６が、通過する媒体保持部２にセットされた記録媒体Ｍに対し、左右に往復移動しながらインクを吐出する。このようにして、記録装置１は、記録媒体Ｍに画像を記録する記録動作を行う。
【００３０】
図２ないし図４に示すように、媒体保持部２は、記録媒体Ｍがセットされるトレイ１１と、トレイ１１との間に記録媒体Ｍを保持する保持枠１２と、上面にトレイ１１が装着されるトレイ装着部１３と、トレイ装着部１３を支持するベース部１４とを備えている。トレイ１１は、トレイ装着部１３に対し着脱可能であり、保持枠１２等とは別体に構成されている。
【００３１】
図５に示すように、トレイ１１には、様々なサイズの記録媒体Ｍに対応すべく、サイズが異なる３種類のもの、すなわち大トレイ１１ａ、中トレイ１１ｂおよび小トレイ１１ｃが用意されている。特に限定されるものではないが、通常、大トレイ１１ａは、比較的大きいサイズの記録媒体Ｍを保持する場合に用いられ、中トレイ１１ｂは、中程度のサイズの記録媒体Ｍを保持する場合に用いられ、小トレイ１１ｃは、比較的小さいサイズの記録媒体Ｍを保持する場合に用いられる。大トレイ１１ａ、中トレイ１１ｂおよび小トレイ１１ｃの各トレイ本体１６の縦横のサイズは、例えば、それぞれ、２０×２８インチ、１６×２０インチ、１４×１６インチである。
なお、大トレイ１１ａは、「第１トレイ」の例であり、中トレイ１１ｂや小トレイ１１ｃは、「第２トレイ」の例である。
【００３２】
さらに、媒体保持部２は、保持枠１２に装着されるアタッチメント１５を備えている。アタッチメント１５には、トレイ装着部１３に中トレイ１１ｂが装着された場合に保持枠１２に装着される第１アタッチメント１５ｂと、トレイ装着部１３に小トレイ１１ｃが装着された場合に保持枠１２に装着される第２アタッチメント１５ｃとが用意されている。
【００３３】
トレイ１１は、トレイ本体１６と、トレイ本体１６の媒体載置面１６ａ（後述する）とは反対側の面、つまり下面の左右縁部に設けられた２つのガイド部１７と、トレイ本体１６の下面の４箇所に矩形状に分散して設けられた４つのトレイ凸部１８（図６参照）と、トレイ本体１６の下面の左右略中間部に設けられた前後２つの位置決めピン１９（図６参照）とを備えている。
【００３４】
トレイ本体１６は、略角丸矩形板状に構成されている。トレイ本体１６の上面が、記録媒体Ｍが載置される媒体載置面１６ａとなっている。なお、記録媒体Ｍとして、例えばＴシャツ等のトップスを用いる場合、トップスの前身頃および後見頃の双方を重ねて媒体載置面１６ａに載置してもよく、前身頃および後見頃によりトレイ１１の上下を包むようにして、前身頃および後見頃のいずれか一方を媒体載置面１６ａに載置してもよい。
【００３５】
トレイ本体１６は、アクリル板等の樹脂製であってもよいが、剛性を確保すべく、例えばアルミ板で構成することが好ましい。これにより、トレイ１１に記録媒体Ｍをセットした際に、トレイ本体１６が撓むことが抑制され、媒体載置面１６ａに載置された記録媒体Ｍとインクジェットヘッド６とのギャップを適正に保つことができる。
【００３６】
左右２つのガイド部１７は、詳細は後述するが、媒体載置面１６ａから垂れ下がった記録媒体Ｍの左右の端部をガイドする。ガイド部１７は、断面視略クランク状（図６参照）の金具により構成されており、トレイ本体１６の下面と接した接続部２１と、接続部２１の外側から下方に連なる外垂下部２２と、外垂下部２２の下端から外側に連なる媒体受け部２３と、接続部２１の内側から下方に連なる内垂下部２０とを備えている。なお、本実施形態では、ガイド部１７を、トレイ本体１６の下面の左右の縁部に設けているが、さらに前後の縁部に設けてもよい。
【００３７】
２つの位置決めピン１９は、４つのトレイ凸部１８よりも長く構成されており、４つのトレイ凸部１８がトレイ装着部１３の上面に突き当たるまで、トレイ装着部１３に設けられた２つの位置決め孔（図示省略）に上方から挿入される。４つのトレイ凸部１８の長さは略均一である。トレイ１１は、トレイ装着部１３に対し、４つのトレイ凸部１８の４点で支持される。
【００３８】
保持枠１２は、後端部に設けられたアシストヒンジ４３やヒンジ金具４４（後述する）を介して、ベース部１４に連結されている。保持枠１２は、略水平姿勢となって、トレイ１１との間に記録媒体Ｍを保持する保持位置（図２参照）と、斜め姿勢となって記録媒体Ｍの保持を解除する非保持位置（図３および図４参照）との間で、アシストヒンジ４３やヒンジ金具４４の軸心を中心に、回転可能に構成されている。
【００３９】
保持枠１２は、矩形枠状の枠本体２４と、枠本体２４の４つの角部近傍に設けられた４つの係止部材２５と、枠本体２４の後方に設けられ、アシストヒンジ４３やヒンジ金具４４が取り付けられたヒンジ取付部２６とを備えている。
【００４０】
枠本体２４の枠内には、記録媒体Ｍを挟持できる程度の隙間を存して、大トレイ１１ａのトレイ本体１６が入る。枠本体２４は、断面略逆台形状のアルミ押出形材を矩形状に組み合わせて構成されており、前枠材３１と、後枠材３２と、左枠材３３と、右枠材３４とを備えている。前枠材３１、後枠材３２、左枠材３３および右枠材３４の各上面内側、すなわち枠本体２４の上面内周縁には、アタッチメント１５のプレート部５４（後述する）の外周縁が係合する係合段部３５が設けられている。また、前枠材３１の前面略中間部には、枠側ロック部３６が取り付けられている。後枠材３２の後面には、ヒンジ取付部２６が接続されている。左枠材３３および右枠材３４の前後両端部には、回転ピン３７により、係止部材２５がそれぞれ取り付けられている。
なお、本実施形態では、「係合部」を、係合段部３５により構成したが、これに限定されるものではなく、「係合部」は、例えば、左枠材３３および右枠材３４の内側面に形成した溝であってもよい。
【００４１】
枠側ロック部３６は、前枠材３１に固定されたフック支持部３８と、フック支持部３８に回転可能に支持されたフック部材３９とを備えている。フック部材３９は、後述するベース側ロック部５３と係合するフック部４１と、フック部材３９を回転操作するための摘み部４２とを備えている。フック部材３９は、ベース側ロック部５３と係合するフック位置と、ベース側ロック部５３との係合が解除される非フック位置との間で、回転可能に構成されており、図示しないバネにより、フック位置に回転付勢されている。ユーザーは、保持枠１２を、非保持位置に回転操作する際には、枠側ロック部３６のフック部材３９を非フック位置に回転操作して、枠側ロック部３６とベース側ロック部５３との係合を解除する。
【００４２】
４つの係止部材２５は、アタッチメント１５のプレート部５４を枠本体２４に係止するためのものである。各係止部材２５は、内側に閉じてプレート部５４を枠本体２４に係止する係止位置（図５参照）と、外側に開いてプレート部５４の係止を解除する非係止位置との間で、回転ピン３７を中心に回転可能に構成されている。ユーザーは、係止部材２５が非係止位置に位置する状態で、アタッチメント１５を枠本体２４の係合段部３５に落し込んだ後、係止部材２５を係止位置に回転させ、アタッチメント１５を枠本体２４に係止する。このように、係止部材２５を係止位置と非係止位置との間で回転させるという簡易な操作を行うことで、保持枠１２にアタッチメント１５を装着し、また、保持枠１２からアタッチメント１５を脱離することができる。
【００４３】
ヒンジ取付部２６は、上面視横長矩形状であり、後枠材３２と左右略同じ長さを有している。ヒンジ取付部２６の下面略中間部には、アシストヒンジ４３が取り付けられ、また、ヒンジ取付部２６の上面左方寄りおよび右方寄りには、ヒンジ金具４４がそれぞれ取り付けられている。
【００４４】
アシストヒンジ４３は、略扁平直方体状の固定部４５と、固定部４５に対して回転可能に連結された可動部４６とを備えている。固定部４５は、ベース部１４のヒンジ支持部５１（後述する）に固定されており、可動部４６は、ヒンジ取付部２６に固定されている。固定部４５および可動部４６は、それぞれ樹脂製のカバーを有している。アシストヒンジ４３には、図示しないが、保持枠１２の非保持位置への回転をアシストするバネと、保持枠１２の保持位置への回転を制動するダンパーとが内蔵されている。アシストヒンジ４３により、保持枠１２の非保持位置への回転がアシストされるため、ユーザーは、保持枠１２の非保持位置への回転操作を容易に行うことができる。また、アシストヒンジ４３により、保持枠１２の保持位置への回転が制動されるため、ユーザーは、保持枠１２と大トレイ１１ａとの間に指を挟んだりすることなく、保持枠１２の保持位置への回転操作を安全に行うことができる。
【００４５】
トレイ装着部１３は、略扁平直方体の箱状であり、その上面に、上記した３サイズのトレイ１１が選択的に装着される。トレイ装着部１３の左右略中間部には、前後２つの位置決め孔が貫通形成されている。２つの位置決め孔に、上記した２つの位置決めピン１９が挿通することで、トレイ装着部１３に対し、トレイ１１が位置決め状態で装着される。また、トレイ装着部１３には、トレイ装着部１３の上面の傾きを調整するための傾き調整機構（図示省略）が内蔵されている。傾き調整機構により、トレイ装着部１３の上面の傾きを調整することで、トレイ装着部１３の上面に載置されるトレイ１１の媒体載置面１６ａの傾きを調整することができる。これにより、媒体載置面１６ａの全域において、インクジェットヘッド６のノズル面と媒体載置面１６ａとの間のギャップが、略均一となるように調整することができる。
【００４６】
ベース部１４は、前後に延在する略角柱状のベース本体４７と、ベース本体４７の前端部から上方に突設されたベース凸部４８と、ベース本体４７の後方寄り上面に設けられ、アルミ押出形材を組み合わせて構成されたフレーム部４９と、フレーム部４９の後方略中間部から後方に連なる板状のヒンジ支持部５１と、ベース本体４７の後方寄りから下方に連なるベース脚部５２とを備えている。
【００４７】
ベース本体４７の上方には、上記のトレイ装着部１３が固定されている。ベース凸部４８の前面上方には、側面視略逆「Ｌ」字状のベース側ロック部５３が固定されている。ベース側ロック部５３は、保持位置に位置する保持枠１２に設けられた枠側ロック部３６と係合する。ヒンジ支持部５１の上面には、上記したアシストヒンジ４３の固定部４５が固定されている。ベース脚部５２は、図示しない高さ調整機構を介して、上記の搬送部５に取り付けられている。
【００４８】
アタッチメント１５は、トレイ本体１６よりも薄い略矩形板状のプレート部５４と、プレート部５４の下面に設けられたアタッチメント枠部５５とを備えている。プレート部５４の外周縁は、上記した枠本体２４の係合段部３５と係合する。また、プレート部５４の中央には、略矩形状のアタッチメント開口５６が形成されている。第１アタッチメント１５ｂのアタッチメント開口５６には、記録媒体Ｍを挟持できる程度の隙間を存して、中トレイ１１ｂのトレイ本体１６が入る。同様に、第２アタッチメント１５ｃのアタッチメント開口５６には、記録媒体Ｍを挟持できる程度の隙間を存して、小トレイ１１ｃのトレイ本体１６が入る。
【００４９】
また、アタッチメント１５には、アタッチメント開口５６の縁部に沿って、アタッチメント枠部５５が設けられている。アタッチメント枠部５５は、断面略矩形状のアルミ押出形材を矩形状に組み合わせて構成されている。ユーザーは、アタッチメント１５を保持枠１２に装着するときに、アタッチメント枠部５５が、保持枠１２が保持位置に位置した状態でトレイ本体１６の媒体載置面１６ａとは反対側つまり下方を向くようにする。
【００５０】
ここで、中トレイ１１ｂ、大トレイ１１ａ、小トレイ１１ｃに対し、記録媒体Ｍを順次セットし、記録装置１により画像を記録する場合の操作手順について説明する。なお、操作前の状態としては、トレイ装着部１３にはトレイ１１が装着されておらず、保持枠１２にはアタッチメント１５が装着されておらず、保持枠１２は保持位置に位置しているものとする。
【００５１】
ユーザーは、まず、保持枠１２を、非保持位置に回転操作する。続いて、ユーザーは、トレイ装着部１３に中トレイ１１ｂを装着する。続いて、ユーザーは、中トレイ１１ｂの媒体載置面１６ａに記録媒体Ｍを載置する。また、ユーザーは、保持枠１２に第１アタッチメント１５ｂを装着する。
【００５２】
続いて、ユーザーは、第１アタッチメント１５ｂが装着された保持枠１２を、非保持位置から保持位置に回転操作する。これにより、第１アタッチメント１５ｂのアタッチメント開口５６の縁部と中トレイ１１ｂの外周縁との間に記録媒体Ｍが保持される。このとき、枠側ロック部３６がベース側ロック部５３と係合し、保持枠１２が保持位置にロックされる。このようにして、中トレイ１１ｂが装着された媒体保持部２に記録媒体Ｍをセットした後、ユーザーは、記録装置１に記録開始の指示を行う。
【００５３】
記録媒体Ｍに対して記録が為された後、ユーザーは、保持枠１２を保持位置から非保持位置に回転操作する。そして、ユーザーは、画像が記録された記録媒体Ｍを媒体保持部２から取り除く。
【００５４】
続いて、中トレイ１１ｂと大トレイ１１ａとを交換する。すなわち、中トレイ１１ｂをトレイ装着部１３から取り外し、代わりに、大トレイ１１ａをトレイ装着部１３に装着する。続いて、ユーザーは、大トレイ１１ａの媒体載置面１６ａに記録媒体Ｍを載置する。また、ユーザーは、保持枠１２から第１アタッチメント１５ｂを脱離する。
【００５５】
続いて、ユーザーは、第１アタッチメント１５ｂが脱離された保持枠１２を、非保持位置から保持位置に回転操作する。これにより、保持枠１２の内周縁と大トレイ１１ａの外周縁との間に記録媒体Ｍが保持される。このようにして、大トレイ１１ａが装着された媒体保持部２に記録媒体Ｍをセットした後、ユーザーは、記録装置１に記録開始の指示を行う。
【００５６】
記録媒体Ｍに対して記録が為された後、ユーザーは、保持枠１２を保持位置から非保持位置に回転操作する。そして、ユーザーは、画像が記録された記録媒体Ｍを媒体保持部２から取り除く。
【００５７】
続いて、ユーザーは、大トレイ１１ａと小トレイ１１ｃを交換する。すなわち、大トレイ１１ａをトレイ装着部１３から取り外し、代わりに、小トレイ１１ｃをトレイ装着部１３に装着する。続いて、ユーザーは、小トレイ１１ｃの媒体載置面１６ａに記録媒体Ｍを載置する。また、ユーザーは、保持枠１２に第２アタッチメント１５ｃを装着する。
【００５８】
続いて、ユーザーは、第２アタッチメント１５ｃが装着された保持枠１２を、非保持位置から保持位置に回転操作する。これにより、第２アタッチメント１５ｃのアタッチメント開口５６の縁部と小トレイ１１ｃの外周縁との間に記録媒体Ｍが保持される。このようにして、小トレイ１１ｃが装着された媒体保持部２に記録媒体Ｍをセットした後、ユーザーは、記録装置１に記録開始の指示を行う。
【００５９】
記録媒体Ｍに対して記録が為された後、ユーザーは、保持枠１２を保持位置から非保持位置に回転操作する。そして、ユーザーは、画像が記録された記録媒体Ｍを媒体保持部２から取り除く。
なお、これらの手順の順番は、これに限定されるものではなく、作業に支障のない範囲で、相前後しても構わない。
【００６０】
以上のように、本実施形態の媒体保持部２によれば、大トレイ１１ａ、中トレイ１１ｂおよび小トレイ１１ｃは、保持枠１２とは別体に構成されていることから、ユーザーは、大トレイ１１ａ、中トレイ１１ｂおよび小トレイ１１ｃの相互の交換を、トレイ１１単体として行うことができる。したがって、ユーザーがトレイ１１の交換作業を容易に行うことができる。そして、ユーザーが、トレイ装着部１３に大トレイ１１ａを装着し、保持枠１２からアタッチメント１５を脱離することで、大トレイ１１ａと保持枠１２との間に、記録媒体Ｍを保持することができる。また、ユーザーが、トレイ装着部１３に中トレイ１１ｂを装着し、保持枠１２に第１アタッチメント１５ｂを装着することで、中トレイ１１ｂと第１アタッチメント１５ｂとの間に、記録媒体Ｍを保持することができる。同様に、ユーザーが、トレイ装着部１３に小トレイ１１ｃを装着し、保持枠１２に第２アタッチメント１５ｃを装着することで、小トレイ１１ｃと第２アタッチメント１５ｃとの間に、記録媒体Ｍを保持することができる。
【００６１】
なお、ユーザーは、媒体保持部２に記録媒体Ｍをセットした後、記録開始の指示を行う前に、適宜、媒体保持部２に保持された記録媒体Ｍに対し、スプレー等を用いて、インクの定着性を高める処理液を付与してもよい。このとき、上述したように、アシストヒンジ４３がカバーを有しているため、処理液がアシストヒンジ４３の内部に掛かることが防止され、処理液によりアシストヒンジ４３が劣化してしまうことを抑制することができる。
【００６２】
また、本実施形態によれば、大トレイ１１ａ、中トレイ１１ｂおよび小トレイ１１ｃについて、同じ保持枠１２を共用するため、大トレイ１１ａ、中トレイ１１ｂおよび小トレイ１１ｃについて別々の保持枠１２を用いる場合のように、枠側ロック部３６やアシストヒンジ４３を保持枠１２ごとに用意する必要がなく、枠側ロック部３６やアシストヒンジ４３の個数を削減することができる。
【００６３】
また、本実施形態によれば、大トレイ１１ａのガイド部１７は、大トレイ１１ａと保持枠１２との間に記録媒体Ｍを保持した際に、大トレイ１１ａのトレイ本体１６と保持枠１２の枠本体２４との間から垂れ下がった記録媒体Ｍの端部を、媒体受け部２３により、略「Ｌ」字状となるように、トレイ本体１６に対して外側にガイドする（図６（ａ）参照）。このため、トレイ本体１６および保持枠１２と記録媒体Ｍとの接触面積を増やすことができる。これにより、大トレイ１１ａと保持枠１２との間に記録媒体Ｍを保持する場合に、保持された記録媒体Ｍのシワを伸ばしやすくなり、また、保持後に記録媒体Ｍが動いてしまうことを防止することができる。さらに、ガイド部１７の外垂下部２２と枠本体２４との間には、間隙が設けられていることから、保持された記録媒体Ｍをピンと張れるように逃がすことができる。
【００６４】
また、中トレイ１１ｂのガイド部１７は、中トレイ１１ｂと第１アタッチメント１５ｂとの間に記録媒体Ｍを保持した際に、中トレイ１１ｂのトレイ本体１６と第１アタッチメント１５ｂのアタッチメント枠部５５との間から垂れ下がった記録媒体Ｍの端部を、媒体受け部２３により、略「Ｌ」字状となるように、トレイ本体１６に対して外側にガイドする（図６（ｂ）参照）。このため、トレイ本体１６およびアタッチメント枠部５５と記録媒体Ｍとの接触面積を増やすことができる。小トレイ１１ｃのガイド部１７についても同様である（図６（ｃ）参照）。このため、中トレイ１１ｂと第１アタッチメント１５ｂとの間に記録媒体Ｍを保持する場合や、小トレイ１１ｃと第２アタッチメント１５ｃとの間に記録媒体Ｍを保持する場合にも、大トレイ１１ａと保持枠１２との間に記録媒体Ｍを保持する場合と、同様の状況を作り出すことができる。これにより、中トレイ１１ｂと第１アタッチメント１５ｂとの間に記録媒体Ｍを保持する場合や、小トレイ１１ｃと第２アタッチメント１５ｃとの間に記録媒体Ｍを保持する場合にも、保持された記録媒体Ｍや記録媒体Ｍのシワを伸ばしやすくなり、また、保持後に記録媒体Ｍや記録媒体Ｍが動いてしまうことを防止することができる。さらに、中トレイ１１ｂや小トレイ１１ｃのガイド部１７についても、外垂下部２２とアタッチメント枠部５５との間には、間隙が設けられていることから、保持された記録媒体Ｍや記録媒体Ｍをピンと張れるように逃がすことができる。
【００６５】
なお、スウェットのように厚手の記録媒体Ｍについては、大トレイ１１ａと保持枠１２との間や、中トレイ１１ｂと第１アタッチメント１５ｂとの間、小トレイ１１ｃと第２アタッチメント１５ｃとの間に、記録媒体Ｍを挟持することができない場合がある。そのような場合には、図７に示すように、トレイ装着部１３に中トレイ１１ｂを装着すると共に、保持枠１２からアタッチメント１５を脱離し、中トレイ１１ｂと保持枠１２との間に、中トレイ１１ｂの媒体載置面１６ａから垂れ下がった厚手の記録媒体Ｍの端部を入れるようにすればよい。また、特に図示しないが、トレイ装着部１３に小トレイ１１ｃを装着すると共に、保持枠１２に第１アタッチメント１５ｂを装着し、小トレイ１１ｃと第１アタッチメント１５ｂとの間に、小トレイ１１ｃの媒体載置面１６ａから垂れ下がった厚手の記録媒体Ｍの端部を入れるようにしてもよい。このようにすることで、厚手の記録媒体Ｍについても、媒体保持部２にセットすることができる。この場合、記録媒体Ｍを十分には保持できないまでも、記録媒体Ｍを保持枠１２の内側に収めることができるため、記録動作時に、記録媒体Ｍの端部が、搬送部５による搬送経路中の部材に引っ掛かることを防止することができる。
【００６６】
続いて、媒体保持部２の変形例について説明する。変形例に係る媒体保持部２は、上記の媒体保持部２と略同様に構成されているが、アシストヒンジ４３に代えて、ガススプリング６１を備えた点で相違している。なお、上記の媒体保持部２に関する説明は、特に断らない限り、変形例に係る媒体保持部２にも同様に当てはまるものである。
【００６７】
図８および図９に示すように、変形例に係る媒体保持部２は、保持枠１２の左右両側に、２つのガススプリング６１を備えている。保持枠１２の左枠材３３および右枠材３４の後方寄りには、各ガススプリング６１の一端が連結された枠側連結部６２が形成されている。
【００６８】
また、ベース部１４の後端部には、上記のフレーム部４９およびヒンジ支持部５１に代えて、枠支持部６３が設けられている。枠支持部６３の左右後端部には、保持枠１２を回転可能に支持するヒンジ部６４が設けられている。枠支持部６３の左右前端部には、ガススプリング６１の他端が連結されたベース側連結部６５が突設されている。
【００６９】
このように設けられた２つのガススプリング６１は、上記のアシストヒンジ４３と同様に、保持枠１２の非保持位置への回転をアシストし、保持枠１２の保持位置への回転を制動する。
【００７０】
以上のように、本実施形態の媒体保持部２は、アシストヒンジ４３またはガススプリング６１を備えたことで、保持枠１２を保持位置と非保持位置との間で回転させる際の操作性を向上させることができる。さらに、アシストヒンジ４３を用いた場合には、ガススプリング６１を用いた場合に比べ、アシストヒンジ４３を保持枠１２の回転軸の近くに取り付けることができる。このため、アシストヒンジ４３を、保持枠１２の回転軸方向における両端部、つまり左右両端部に設けるのではなく、本実施形態のように、保持枠１２の回転軸方向における略中間部、つまり左右略中間部に設ける場合にも、アシストヒンジ４３が取り付けられる保持枠１２の回転基端部、つまりヒンジ取付部２６について、回転軸方向に垂直な方向、つまり前後方向における寸法を小さくすることができ、保持枠１２を小型化することができる。
なお、アシストヒンジ４３やガススプリング６１は、「制動アシスト部」の例である。
【００７１】
記録媒体Ｍとしては、特に限定されるものではないが、例えば、布帛を好適に用いることができ、Ｔシャツなどの衣類を特に好適に用いることができる。
また、記録装置１において媒体保持部２を用いる構成を開示したが、これに限られるものではない。記録装置以外に、媒体を搬送する搬送装置において媒体保持部２を用いてもよいし、カッティングプロッター等に用いる媒体保持装置として媒体保持部２を用いてもよい。
【符号の説明】
【００７２】
２：媒体保持部、１１ａ：大トレイ、１１ｂ：中トレイ、１１ｃ：小トレイ、１２：保持枠、１３：トレイ装着部、１５ｂ：第１アタッチメント、１５ｃ：第２アタッチメント、１６ａ：媒体載置面、Ｍ：記録媒体
【図１】
2015186893.tif 000003
【図２】
2015186893.tif 000004
【図３】
2015186893.tif 000005
【図４】
2015186893.tif 000006
【図５】
2015186893.tif 000007
【図６】
2015186893.tif 000008
【図７】
2015186893.tif 000009
【図８】
2015186893.tif 000010
【図９】
2015186893.tif 000011